(57)【要約】【課題】ユーザが簡単な操作で複数の音源の音量を調整することができる音量操作装置を提供すること。【解決手段】表示制御部（２３）は、複数のコンテンツ（１、２）の画像と、複数のコンテンツ（１、２）の音声の音量を調整するための座標系を表す画像とを表示部（１３）に表示する。複数のコンテンツ（１、２）の音声は、複数の音源である。表示部（１３）上にはタッチパネル（１６）が設けられている。座標検出部（２１）は、タッチパネル（１６）上での指示位置に基づいて座標系上の指示座標を特定する。表示制御部（２３）は、座標系上の指示座標を表す画像を表示部（１３）に表示する。音声制御部（２４）は、指示座標に基づいて複数のコンテンツ（１、２）の音声の音量を決定し、決定した音量で複数のコンテンツ（１、２）の音声を音声出力部（１４）に出力する。【選択図】図１
2015219855.tif 000002
【特許請求の範囲】
【請求項１】
複数の音源の音量を調整するための座標系を表す画像を表示する表示部と、
前記表示部上に設けられたタッチパネルと、
前記タッチパネル上での指示位置に基づいて前記座標系上の指示座標を特定する座標検出部と、
前記座標系上の前記指示座標を表す画像を前記表示部に表示する表示制御部と、
前記指示座標に基づいて前記複数の音源の音量を決定する音声制御部と、
前記決定した音量で前記複数の音源を出力する音声出力部と、
を具備することを特徴とする音量操作装置。
【請求項２】
前記座標系上の前記指示座標は、
前記複数の音源の総音量を決定するための値と、
前記複数の音源の音量の比率を決定するための値と、
を含むことを特徴とする請求項１に記載の音量操作装置。
【請求項３】
前記座標系は、原点から第１方向に延びる第１軸と、前記原点から第２方向に延びる第２軸とを含む直交座標系であり、
前記座標系上の前記指示座標に含まれる値のうちの前記第１軸の値は、前記複数の音源の総音量を示し、
前記座標系上の前記指示座標に含まれる値のうちの前記第２軸の値は、前記複数の音源の音量の比率を示していることを特徴とする請求項２に記載の音量操作装置。
【請求項４】
前記座標系は、動径と、偏角とを含む極座標系であり、
前記座標系上の前記指示座標に含まれる値のうちの前記動径を表す値は、前記複数の音源の総音量を示し、
前記座標系上の前記指示座標に含まれる値のうちの前記偏角を表す値は、前記複数の音源の音量の比率を示していることを特徴とする請求項２に記載の音量操作装置。
【請求項５】
請求項１から４のいずれかに記載の音量操作装置と、
複数の音源を受信して前記音量操作装置に出力する受信部と、
を具備することを特徴とするデジタル放送受信機。
【発明の詳細な説明】
【技術分野】
【０００１】
本発明は、タッチパネルを用いて音量の操作（調整）を行なう音量操作装置、及び、デジタル放送受信機に関する。
【背景技術】
【０００２】
タッチパネルを用いて音量の操作（調整）を行なう技術として、特許文献１にはタッチパネル構造体が開示されている。
【０００３】
特許文献１に開示されたタッチパネル構造体は、複数の指タッチ部を備えている。複数の指タッチ部は、タッチパネル表示面に一方向に平行に配列されている。複数の指タッチ部の各々は、その長さ方向に多段のスイッチ機能を有している。このタッチパネル構造体は、音声や照明に応用される。例えば音声の場合では、指タッチ部の数は、マイクの位置や楽器の種類に対応して決定される。また、音声の場合では、各指タッチ部の多段のスイッチ機能は、ユーザが指タッチ部の長さ方向に指を移動することによって、対応付けられた音源（マイクや楽器）の音量を段階的に増大する。
【０００４】
このように、特許文献１に開示されたタッチパネル構造体では、複数の指タッチ部の長さ方向のそれぞれに対して、ユーザが複数の指を移動することによって、複数の音源（マイクや楽器）の音量を調整することができる。
【先行技術文献】
【特許文献】
【０００５】
【特許文献１】特開２０１３−８９２１６号公報
【発明の概要】
【発明が解決しようとする課題】
【０００６】
特許文献１に開示されたタッチパネル構造体では、ユーザは、複数の指を動かしながら、それぞれ複数の音源の音量を調整しなければならないため、操作（調整）が煩雑になる。
【０００７】
また、特許文献１に開示されたタッチパネル構造体では、ユーザは、各音源の音量を示す指標を確認することができない。したがって、ユーザは、感覚で複数の指を動かしながら、それぞれ複数の音源の音量を調整しなければならないため、操作（調整）が煩雑になる。
【０００８】
本発明は、上記の点に鑑みてなされたものであり、ユーザが簡単な操作で複数の音源の音量を調整することができる音量操作装置、及び、デジタル放送受信機を提供することを目的とする。
【課題を解決するための手段】
【０００９】
本発明の音量操作装置は、複数の音源の音量を調整するための座標系を表す画像を表示する表示部と、前記表示部上に設けられたタッチパネルと、前記タッチパネル上での指示位置に基づいて前記座標系上の指示座標を特定する座標検出部と、前記座標系上の前記指示座標を表す画像を前記表示部に表示する表示制御部と、前記指示座標に基づいて前記複数の音源の音量を決定する音声制御部と、前記決定した音量で前記複数の音源を出力する音声出力部と、を具備することを特徴とする。
【００１０】
本発明のデジタル放送受信機は、上記音量操作装置と、複数の音源を受信して前記音量操作装置に出力する受信部と、を具備することを特徴とする。
【００１１】
本発明の音量操作方法は、複数の音源の音量を調整するための座標系を表す画像を表示部に表示するステップと、前記表示部上に設けられたタッチパネル上での指示位置に基づいて、前記座標系上の指示座標を特定するステップと、前記座標系上の前記指示座標を表す画像を前記表示部に表示するステップと、前記指示座標に基づいて前記複数の音源の音量を決定するステップと、前記決定した音量で前記複数の音源を出力するステップと、を具備することを特徴とする。
【００１２】
本発明のコンピュータプログラムは、上記音量操作方法の各ステップをコンピュータに実行させる。
【発明の効果】
【００１３】
本発明に係る音量操作装置、及び、デジタル放送機によれば、ユーザに対して、複数の音源の音量の指標が座標系により示されることにより、ユーザはその指標（座標系を表す画像）を確認しながら簡単な操作（例えば指１本で指示位置を指示すること）で複数の音源を調整することができるので、複数の音源の音量の調整が容易になる。
【００１４】
また、本発明に係る音量操作装置、及び、デジタル放送機では、ユーザに対して、複数の音源の総音量の指標、および、複数の音源の音量の比率の指標が座標系により示されるので、ユーザの意図する総音量および音量の比率に対してどこを指示すればよいかが明確になる。
【図面の簡単な説明】
【００１５】
【図１】本発明の第１実施形態に係る音量操作装置１０の構成を示す概略ブロック図である。
【図２】本発明の第１実施形態に係る音量操作装置１０において、総音量と音量比率とを特定する方法を示す図である。
【図３】本発明の第１実施形態に係る音量操作装置１０において、総音量と音量比率とを特定する方法を示す図である。
【図４】本発明の第１実施形態に係る音量操作装置１０の動作として、音量決定処理を示すフローチャートである。
【図５】本発明の第１実施形態に係る音量操作装置１０の動作として、音声出力処理を示すフローチャートである。
【図６】本発明の第１実施形態に係る音量操作装置１０において、総音量と音量比率とを特定する方法の具体例を示す図である。
【図７】本発明の第２実施形態に係る音量操作装置１０において、総音量と音量比率とを特定する方法を示す図である。
【図８】本発明の第２実施形態に係る音量操作装置１０において、総音量と音量比率とを特定する方法を示す図である。
【図９】本発明の第３実施形態に係るデジタル放送受信機３０の構成を示す概略ブロック図である。
【発明を実施するための形態】
【００１６】
以下、図面を参照しながら本発明の実施形態について説明する。
【００１７】
図１は、本発明の第１実施形態に係る音量操作装置１０の構成を示す概略ブロック図である。その音量操作装置１０は、入力部１１と、制御部１２と、表示部１３と、音声出力部１４と、記憶部１５とを具備している。表示部１３としては、ＬＣＤ（Ｌｉｑｕｉｄ  Ｃｒｙｓｔａｌ  Ｄｉｓｐｌａｙ）が例示される。音声出力部１４としては、スピーカが例示される。制御部１２としては、ＣＰＵ（Central Processing Unit）が例示される。記憶部には、コンピュータが実行可能なコンピュータプログラムが格納されていて、ＣＰＵは、そのコンピュータプログラムを読み出して実行する。
【００１８】
入力部１１は、２次元より大きい座標系上の座標を指示可能なデバイスを備えている。具体的には、入力部１１は、２次元直交座標系（以下、座標系）上の座標を指示可能なタッチパネル１６を備えている。タッチパネル１６は、表示部１３の上に搭載されている。ユーザは、タッチパネル１６に対して１本の指での入力操作により、後述のように複数の音源（複数のコンテンツの音声）の音量を操作（調整）することができる。入力部１１は、ユーザの入力操作に応じて、タッチパネル１６上の指示位置を含む操作情報を制御部１２へ出力する。
【００１９】
制御部１２は、座標検出部２１と、コンテンツ再生部２２と、表示制御部２３と、音声制御部２４とを備えている。
【００２０】
座標検出部２１は、複数のコンテンツの音声の音量を調整するための座標系を示す座標情報を表示制御部２３および音声制御部２４へ出力する。また、座標検出部２１は、入力部１１から操作情報を入力したときに、操作情報の指示位置に基づいて座標系上の指示座標を特定する。座標検出部２１は、特定した指示座標を示す指示情報を表示制御部２３および音声制御部２４へ出力する。
【００２１】
コンテンツ再生部２２は、ユーザの視聴指示に応じて、放送波またはネットワークにより受信された複数のコンテンツを並列に再生する。また、コンテンツ再生部２２は、ユーザの再生指示に応じて、図示しない記録媒体に格納された複数のコンテンツを並列に再生する。ここで、コンテンツの数は２であり、複数のコンテンツをコンテンツ１、２と称する。コンテンツ再生部２２は、再生したコンテンツ１、２の音声を示す音声信号を音声制御部２４へ出力し、再生したコンテンツ１、２の画像を示す画像信号を表示制御部２３へ出力する。
【００２２】
表示制御部２３は、コンテンツ再生部２２からの画像信号が示すコンテンツ１、２の画像と、座標検出部２１からの座標情報が示す座標系を表す画像とを表示部１３に表示する。また、表示制御部２３は、座標検出部２１から指示情報を入力したときに、指示情報が示す指示座標を表す画像を、コンテンツ１、２の画像と座標系と共に、表示部１３に表示する。
【００２３】
音声制御部２４は、ユーザが指定した座標（座標検出部２１からの指示情報が示す指示座標）に基づいて、コンテンツ再生部２２からの音声信号が示すコンテンツ１、２の音声の総音量および音量の比率（以下、音量比率）を決定する。指示座標は、座標系に対するコンテンツ１、２の音声の総音量を決定するための値と、座標系に対するコンテンツ１、２の音声の音量比率を決定するための値とを含んでいる。指示座標の詳細については後述する。音声制御部２４は、決定した総音量および音量比率でコンテンツ１、２の音声を音声出力部１４へ出力する。
【００２４】
図２、図３は、本発明の第１実施形態に係る音量操作装置１０において、総音量と音量比率とを特定する方法を示す図である。
【００２５】
まず、コンテンツ再生部２２は、再生したコンテンツ１、２の音声を示す音声信号を音声制御部２４へ出力し、再生したコンテンツ１、２の画像を示す画像信号を表示制御部２３へ出力する。座標検出部２１は、コンテンツ１、２の音声の音量を調整するための２次元直交座標系Ｓを示す座標情報を表示制御部２３および音声制御部２４へ出力する。図２に示されるように、表示制御部２３は、コンテンツ再生部２２からの画像信号が示すコンテンツ１、２の画像と、座標検出部２１からの座標情報が示す２次元直交座標系Ｓを表す画像とを表示部１３に表示する。２次元直交座標系Ｓの詳細については後述する。
【００２６】
図２に示されるように、ユーザは、指示媒体（例えば、ユーザの指１本）によりタッチパネル１６に対して指示（図２の×の部分を参照）を行なう。このとき、入力部１１は、指示媒体によるタッチパネル１６への指示により、タッチパネル１６上の指示位置を示す操作情報を座標検出部２１へ出力する。
【００２７】
ここで、図３に示されるように、タッチパネル１６上の指示位置は、２次元直交座標系Ｔ上の座標で表せるものとする。タッチパネル１６は表示部１３上に搭載されているため、２次元直交座標系Ｔは、Ｘ軸と、Ｙ軸とを含んでいる。２次元直交座標系ＴのＸ軸は、タッチパネル１６（表示部１３の表示領域）の左下の角を原点とした場合、その原点からタッチパネル１６（表示部１３の表示領域）の右下の角まで第１方向に延びる軸である。２次元直交座標系ＴのＹ軸は、その原点からタッチパネル１６（表示部１３の表示領域）の左上の角まで、２次元直交座標系ＴのＸ軸に対して垂直な方向に延びる軸である。
【００２８】
座標検出部２１は、入力部１１からの操作情報が示す指示位置、すなわち、２次元直交座標系Ｔ上の座標を、２次元直交座標系Ｓ上の座標に変換する。
【００２９】
ここで、図３に示されるように、タッチパネル１６上での指示位置を２次元直交座標系Ｔ上の座標（ＰＸ、ＰＹ）とし、２次元直交座標系Ｔにおける２次元直交座標系Ｓの原点を（ＯＸ、ＯＹ）とする。２次元直交座標系Ｓは、Ｘ軸と、Ｙ軸とを含んでいる。２次元直交座標系ＳのＸ軸は、２次元直交座標系Ｔ内において、原点（ＯＸ、ＯＹ）から第１方向に延びる軸である。２次元直交座標系ＳのＹ軸は、２次元直交座標系Ｔ内において、原点（ＯＸ、ＯＹ）から互いに２次元直交座標系ＳのＸ軸に対して垂直な方向に延びる軸である。この場合、２次元直交座標系Ｓ上の座標（Ｘ、Ｙ）のＸ軸の値は、２次元直交座標系Ｔ上の座標のＸ軸の値を用いて、Ｘ＝ＰＸ−ＯＸにより求めることができる。２次元直交座標系Ｓ上の座標（Ｘ、Ｙ）のＹ軸の値は、２次元直交座標系Ｔ上の座標のＹ軸の値を用いて、Ｙ＝ＰＹ−ＯＹにより求めることができる。
【００３０】
２次元直交座標系Ｓ上の座標（Ｘ、Ｙ）に含まれる値のうちのＸ軸の値は、コンテンツ１、２の音声の総音量を表している。２次元直交座標系Ｓ上の座標（Ｘ、Ｙ）に含まれる値のうちのＹ軸の値は、コンテンツ１、２の音声の音量比率を表している。
【００３１】
座標検出部２１は、上述の座標（Ｘ、Ｙ）を２次元直交座標系Ｓ上の指示座標として特定する。座標検出部２１は、２次元直交座標系Ｓを示す座標情報と、２次元直交座標系Ｓ上の指示座標（Ｘ、Ｙ）を示す指示情報とを表示制御部２３および音声制御部２４へ出力する。
【００３２】
音声制御部２４は、座標検出部２１から指示情報を入力したときに、その指示情報が示す２次元直交座標系Ｓ上の指示座標（Ｘ、Ｙ）のＸ軸の値に基づいて、コンテンツ再生部２２からの音声信号が示すコンテンツ１、２の音声の総音量を決定する。
【００３３】
ここで、図３に示されるように、総音量については、指示座標（Ｘ、Ｙ）のＸ軸の値が０の場合（Ｘ＝０の場合）は最小音量とし、指示座標（Ｘ、Ｙ）のＸ軸の値がＸｄの場合（Ｘ＝Ｘｄの場合）は最大音量とする。
【００３４】
音声制御部２４は、２次元直交座標系Ｓ上の指示座標（Ｘ、Ｙ）のＹ軸の値に基づいて、コンテンツ再生部２２からの音声信号が示すコンテンツ１、２の音声の音量比率を決定する。
【００３５】
ここで、図３に示されるように、音量比率については、指示座標（Ｘ、Ｙ）のＹ軸の値が０の場合（Ｙ＝０の場合）はコンテンツ１の音量とコンテンツ２の音量との比は１対１の関係である。指示座標（Ｘ、Ｙ）のＹ軸の値がＹｄの場合（Ｙ＝Ｙｄの場合）はコンテンツ１の音量とコンテンツ２の音量との比は１対０の関係である。指示座標（Ｘ、Ｙ）のＹ軸の値がＹｄの場合（Ｙ＝−Ｙｄの場合）はコンテンツ１の音量とコンテンツ２の音量との比は０対１の関係である。
【００３６】
なお、座標検出部２１は、２次元直交座標系Ｓ上の指示座標（Ｘ、Ｙ）のＸ軸およびＹ軸の値が、０≦Ｘ≦Ｘｄ、かつ、−Ｙｄ≦Ｙ≦Ｙｄである場合に、音量指示として、２次元直交座標系Ｓ上の指示座標（Ｘ、Ｙ）を示す指示情報を音声制御部２４へ出力する。音声制御部２４は、座標検出部２１からの指示情報が示す２次元直交座標系Ｓ上の指示座標（Ｘ、Ｙ）に基づいて、コンテンツ再生部２２からの音声信号が示すコンテンツ１、２の音声の総音量および音量比率を決定し、決定した総音量および音量比率でコンテンツ１、２の音声を音声出力部１４へ出力する。
【００３７】
表示制御部２３は、コンテンツ１、２の画像と２次元直交座標系Ｓを表す画像と共に、指示情報が示す２次元直交座標系Ｓ上の指示座標（Ｘ、Ｙ）を表す画像（図３のポインタＱを参照）を表示部１３に表示する。図３のポインタＱは、ユーザが指１本でタッチパネル１６上に上述の指示位置を指示した箇所である。
【００３８】
ここで、図３に示されるように、２次元直交座標系Ｓを表す画像は、操作検出範囲の境界を示す図形を含み、また、コンテンツ１とコンテンツ２の音量比率が略１対１の関係となる範囲を示す図形を含んでもよい。
【００３９】
これにより、ユーザに対して、コンテンツ１、２の音声の総音量の指標、および、コンテンツ１、２の音声の音量比率の指標が２次元直交座標系Ｓにより示されるので、ユーザの意図する総音量および音量比率に対してどこを指示すればよいかが明確になる。
【００４０】
総音量に対する、コンテンツ１の音量比率をＲ１、コンテンツ２の音量比率をＲ２とした場合、音量比率Ｒ１は、Ｒ１＝（Ｙ＋Ｙｄ）／２Ｙｄにより求めることができ、音量比率Ｒ２は、Ｒ２＝（−Ｙ＋Ｙｄ）／２Ｙｄにより求めることができる。
【００４１】
また、総音量の最大音量をＶｍａｘ、総音量をＶとした場合、総音量Ｖは、Ｖ＝Ｖｍａｘ・Ｘ／Ｘｄにより求めることができる。
【００４２】
また、コンテンツ１の音量をＶ１、コンテンツ２の音量をＶ２とした場合、コンテンツ１の音量Ｖ１は、Ｖ１＝Ｖ・Ｒ１により求めることができ、コンテンツ２の音量Ｖ２は、Ｖ２＝Ｖ・Ｒ２により求めることができる。
【００４３】
図４は、本発明の第１実施形態に係る音量操作装置１０の動作として、音量決定処理を示すフローチャートである。図５は、本発明の第１実施形態に係る音量操作装置１０の動作として、音声出力処理を示すフローチャートである。
【００４４】
音声制御部２４は、音量決定処理および音声出力処理を並列に行う。音量決定処理は、コンテンツ１、２の再生時、非再生時のいずれであっても可能である。
【００４５】
図４に示されるように、検出期間内ではない場合（Ｓ１２０１−Ｎｏ）、座標検出部２１は、検出期間になるまで待つ。検出期間については、例えば、コンテンツ再生部が再生を開始してから、再生を完了するまでとする。一方、検出期間内である場合（Ｓ１２０１−Ｙｅｓ）、座標検出部２１は、音量調整の操作の有無を継続的に確認する（Ｓ１２０２）。座標検出部２１が操作を検出しない場合（Ｓ１２０２−Ｎｏ）、音量決定処理はＳ１２０１に戻る。一方、座標検出部２１が操作を検出した場合（Ｓ１２０２−Ｙｅｓ）、音声制御部２４は、コンテンツ１、２の総音量および音量比率を、前述の方法（図２、３に示される総音量と音量比率とを特定する方法）によって求める（Ｓ１２０３）。
【００４６】
図５に示されるように、音声信号の入力がない場合（Ｓ１３０１−Ｎｏ）、音声制御部２４は、音声信号の入力があるまで待つ。一方、音声信号の入力がある場合（Ｓ１３０１−Ｙｅｓ）、音声制御部２４は、図４のＳ１２０３において求められたコンテンツ１、２の総音量および音量比率に従って、再生したコンテンツ１、２の音声の合成を行い、音声出力部１４に出力を行なう（Ｓ１３０２）。
【００４７】
ここで、表示と音声との関係として、コンテンツ１、２のそれぞれに対応した表示領域を画面（表示部１３）上に表示し、それぞれのコンテンツ１、２の表示領域における相対的な方向と、指示座標系（２次元直交座標系Ｓ）においてそれぞれのコンテンツ１、２の音声の音量比率を大きくする方向とを一致させてもよい。または反対の方向としてもよい。
【００４８】
図６は、本発明の第１実施形態に係る音量操作装置１０において、総音量と音量比率とを特定する方法の具体例を示す図である。
【００４９】
図６に示されるように、表示制御部２３は、表示部１３の表示領域を上下に２分割し、コンテンツ再生部２２からの画像信号が示すコンテンツ１の画像を表示部１３の上側の表示領域に表示し、コンテンツ再生部２２からの画像信号が示すコンテンツ２の画像を表示部１３の下側の表示領域に表示する。さらに、表示制御部２３は、座標検出部２１からの座標情報が示す２次元直交座標系ＳのＸ軸が、表示部１３の上側の表示領域と下側の表示領域との境界部分になるように、２次元直交座標系Ｓを表す画像を例えば半透明にして、コンテンツ１、２の画像上に重ねて表示する。この場合、２次元直交座標系Ｓにおいて、指示座標（Ｘ、Ｙ）が上側の表示領域に行くほど、コンテンツ１の音声の音量比率が大きくなり、指示座標（Ｘ、Ｙ）が下側の表示領域に行くほどコンテンツ２の音声の音量比率が大きくなる。
【００５０】
例えば、それぞれのコンテンツ１、２の表示領域における相対的な方向と、指示座標系（２次元直交座標系Ｓ）においてそれぞれのコンテンツ１、２の音声の音量比率を大きくする方向とを一致させる場合、前述の２次元直交座標系Ｓにおいて、画面（表示部１３）の上側へ向かう方向がＹの正の方向であり、画面（表示部１３）の下側へ向かう方向がＹの負の方向であり、指示座標は（Ｘ、Ｙ）であるため、コンテンツ１の音声の音量比率Ｒ１、コンテンツ２の音声の音量比率Ｒ２は、それぞれ、Ｒ１＝（Ｙ＋Ｙｄ）／２Ｙｄ、Ｒ２＝（−Ｙ＋Ｙｄ）／２Ｙｄにより求めることができる。
【００５１】
なお、それぞれのコンテンツ１、２の表示領域における相対的な方向と、指示座標系（２次元直交座標系Ｓ）においてそれぞれのコンテンツ１、２の音声の音量比率を大きくする方向とを反対にする場合は、Ｒ１＝（−Ｙ＋Ｙｄ）／２Ｙｄ、Ｒ２＝（Ｙ＋Ｙｄ）／２Ｙｄにより求めることができる。
【００５２】
これにより、それぞれのコンテンツ１、２の表示領域の相対的な方向と、音量比率を調整するための指示座標系（２次元直交座標系Ｓ）においてそれぞれのコンテンツ１、２の音声の音量比率を大きくする方向とが一定しているので、ユーザにとってより分かり易い指標となる。
【００５３】
また、それぞれのコンテンツ１、２の表示領域における相対的な方向と、指示座標系（２次元直交座標系Ｓ）においてそれぞれのコンテンツ１、２の音声の音量比率を大きくする方向とを反対にする場合は、タッチパネル１６上で指示を行なう時に、音量比率を大きくしたいコンテンツの表示領域に指示媒体が重なりにくくなるため、音量比率を大きくしたいコンテンツの視聴をなるべく妨げずに、音量の調整を行うことができる。
【００５４】
以上の説明により、本発明の第１実施形態に係る音量操作装置１０では、ユーザに対して、コンテンツ１、２の音声の音量の指標が２次元直交座標系Ｓにより示されることにより、ユーザはその指標（２次元直交座標系Ｓを表す画像）を確認しながら簡単な操作（例えば指１本で指示位置を指示すること）でコンテンツ１、２の音声を調整することができるので、コンテンツ１、２の音声の音量の調整が容易になる。
【００５５】
また、本発明の第１実施形態に係る音量操作装置１０では、ユーザに対して、コンテンツ１、２の音声の総音量の指標、および、コンテンツ１、２の音声の音量比率の指標が２次元直交座標系Ｓにより示されるので、ユーザの意図する総音量および音量比率に対してどこを指示すればよいかが明確になる。
【００５６】
［第２実施形態］
図７、図８は、本発明の第２実施形態に係る音量操作装置１０において、総音量と音量比率とを特定する方法を示す図である。第２実施形態では第１実施形態からの変更点のみ説明する。
【００５７】
まず、コンテンツ再生部２２は、再生したコンテンツ１、２の音声を示す音声信号を音声制御部２４へ出力し、再生したコンテンツ１、２の画像を示す画像信号を表示制御部２３へ出力する。座標検出部２１は、コンテンツ１、２の音声の音量を調整するための２次元極座標系Ｐを示す座標情報を表示制御部２３および音声制御部２４へ出力する。図７に示されるように、表示制御部２３は、コンテンツ再生部２２からの画像信号が示すコンテンツ１、２の画像と、座標検出部２１からの座標情報が示す２次元極座標系Ｐを表す画像とを表示部１３に表示する。２次元極座標系Ｐの詳細については後述する。
【００５８】
図７に示されるように、ユーザは、指示媒体（ユーザの指１本）によりタッチパネル１６に対して指示（図７の×の部分を参照）を行なう。このとき、入力部１１は、指示媒体によるタッチパネル１６への指示により、タッチパネル１６上の指示位置を示す操作情報を座標検出部２１へ出力する。ここで、図８に示されるように、タッチパネル１６上の指示位置は、２次元直交座標系Ｔ上の座標で表せる。
【００５９】
座標検出部２１は、入力部１１からの操作情報が示す指示位置、すなわち、２次元直交座標系Ｔ上の座標を、音量指示用の２次元極座標系Ｐ上の座標に変換する。
【００６０】
ここで、図８に示されるように、タッチパネル１６上での指示位置を２次元直交座標系Ｔ上の座標（ＰＸ、ＰＹ）とし、２次元直交座標系Ｔにおける２次元極座標系Ｐの極を（ＯＸ、ＯＹ）とする。２次元極座標系Ｐは、動径ｒと、偏角θとを含んでいる。２次元極座標系Ｐ上の座標（ｒ、θ）の動径ｒは、２次元直交座標系Ｔ上の座標を用いて、ｒ＝｛（（ＰＸ−ＯＸ）＾２＋（ＰＹ−ＯＹ）＾２）｝＾（１／２）により求めることができる。２次元極座標系Ｐ上の座標（ｒ、θ）の偏角θは、２次元直交座標系Ｔ上の座標を用いて、ＰＸ−ＯＸ≠０である場合はθ＝ａｒｃｔａｎ（（ＰＹ−ＯＹ）／（ＰＸ−ＯＸ））により求めることができ、ＰＸ−ＯＸ＝０、かつ、ＰＹ−ＯＹ≠０である場合はθ＝ａｒｃｃｏｔａｎ（（ＰＹ−ＯＹ）／（ＰＸ−ＯＸ））により求めることができ、ＰＸ−ＯＸ＝０、かつ、ＰＹ−ＯＹ＝０である場合はθ＝０により求めることができる。
【００６１】
２次元極座標系Ｐ上の座標（ｒ、θ）に含まれる値のうちの動径ｒを表す値は、コンテンツ１、２の音声の総音量を表している。２次元極座標系Ｐ上の座標（ｒ、θ）に含まれる値のうちの原点に対する偏角θを表す値は、コンテンツ１、２の音声の音量比率を表している。
【００６２】
座標検出部２１は、上述の座標（ｒ、θ）を２次元極座標系Ｐ上の指示座標として特定する。座標検出部２１は、２次元極座標系Ｐを示す座標情報と、２次元極座標系Ｐ上の指示座標（ｒ、θ）を示す指示情報とを表示制御部２３および音声制御部２４へ出力する。
【００６３】
音声制御部２４は、座標検出部２１からの指示情報が示す２次元極座標系Ｐ上の指示座標（ｒ、θ）の動径ｒに基づいて、コンテンツ再生部２２からの音声信号が示すコンテンツ１、２の音声の総音量を決定する。
【００６４】
ここで、図８に示されるように、総音量については、指示座標（ｒ、θ）の動径ｒが０の場合（ｒ＝０の場合）は最小音量とし、指示座標（ｒ、θ）の動径ｒがｒｄの場合（ｒ＝ｒｄの場合）は最大音量とする。
【００６５】
音声制御部２４は、２次元極座標系Ｐ上の指示座標（ｒ、θ）の偏角θに基づいて、コンテンツ再生部２２からの音声信号が示すコンテンツ１、２の音声の音量比率を決定する。
【００６６】
ここで、図８に示されるように、音量比率については、指示座標（ｒ、θ）の偏角θが０の場合（θ＝０の場合）はコンテンツ１の音量とコンテンツ２の音量との比は１対１の関係である。指示座標（ｒ、θ）の偏角θがπ−αの場合（θ＝π−αの場合）はコンテンツ１の音量とコンテンツ２の音量との比は１対０の関係である。指示座標（ｒ、θ）の偏角θが−（π−α）の場合（θ＝−（π−α）の場合）はコンテンツ１の音量とコンテンツ２の音量との比は０対１の関係である。
【００６７】
αはπよりも小さい微小な正の値で、コンテンツ１の音量比率を最大化する操作と、コンテンツ２の音量比率を最大化する操作とを混同にくくするために設ける余地であり、例えば、α＝π／１２とする。
【００６８】
なお、座標検出部２１は、２次元極座標系Ｐ上の指示座標（ｒ、θ）の動径ｒおよび偏角θが、０≦ｒ≦ｒｄ、かつ、−（π−α）≦θ≦π−αである場合に、音量指示として、２次元極座標系Ｐ上の指示座標（ｒ、θ）を示す指示情報を音声制御部２４へ出力する。音声制御部２４は、座標検出部２１からの指示情報が示す２次元極座標系Ｐ上の指示座標（ｒ、θ）に基づいて、コンテンツ再生部２２からの音声信号が示すコンテンツ１、２の音声の総音量および音量比率を決定し、決定した総音量および音量比率でコンテンツ１、２の音声を音声出力部１４へ出力する。
【００６９】
表示制御部２３は、コンテンツ１、２の画像と２次元極座標系Ｐを表す画像と共に、指示情報が示す２次元極座標系Ｐ上の指示座標（ｒ、θ）を表す画像（図８のポインタＱを参照）を表示部１３に表示する。図８のポインタＱは、ユーザが指１本でタッチパネル１６上に上述の指示位置を指示した箇所である。
【００７０】
ここで、図８に示されるように、２次元極座標系Ｐを表す画像は、操作検出範囲の境界を示す図形を含み、また、コンテンツ１とコンテンツ２の音量比率が略１対１の関係となる範囲を示す図形を含んでもよい。
【００７１】
また、所定の総音量を示す範囲を示す画像を含んでいてもよい。例えば、総音量の最大音量をＶｍａｘとした場合、２次元極座標系Ｐを表す画像は、Ｖｍａｘ・ｉ／ｎ（ｎは正の整数、ｉは １〜ｎの整数）となる範囲を示す同心円を示す画像を含んでいてもよい。
【００７２】
これにより、ユーザに対して、コンテンツ１、２の音声の総音量の指標、および、コンテンツ１、２の音声の音量比率の指標が２次元極座標系Ｐにより示されるので、ユーザの意図する総音量および音量比率に対してどこを指示すればよいかが明確になる。
【００７３】
総音量に対する、コンテンツ１の音量比率をＲ１、コンテンツ２の音量比率をＲ２とした場合、音量比率Ｒ１は、Ｒ１＝｛θ＋（π−α）｝／｛２（π−α）｝により求めることができ、音量比率Ｒ２は、Ｒ２＝｛−θ＋（π−α）｝／｛２（π−α）｝により求めることができる。
【００７４】
また、総音量の最大音量をＶｍａｘ、総音量をＶとした場合、総音量Ｖは、Ｖ＝Ｖｍａｘ・ｒ／ｒｄにより求めることができる。
【００７５】
また、コンテンツ１の音量をＶ１、コンテンツ２の音量をＶ２とした場合、コンテンツ１の音量Ｖ１は、Ｖ１＝Ｖ・Ｒ１により求めることができ、コンテンツ２の音量Ｖ２は、Ｖ２＝Ｖ・Ｒ２により求めることができる。
【００７６】
以上の説明により、本発明の第２実施形態に係る音量操作装置１０では、ユーザに対して、コンテンツ１、２の音声の音量の指標が２次元極座標系Ｐにより示されることにより、ユーザはその指標（２次元極座標系Ｐを表す画像）を確認しながら指示位置（例えば指１本で指示位置を指示すること）でコンテンツ１、２の音声を調整することができるので、コンテンツ１、２の音声の音量の調整が容易になる。
【００７７】
また、本発明の第２実施形態に係る音量操作装置１０では、ユーザに対して、コンテンツ１、２の音声の総音量の指標、および、コンテンツ１、２の音声の音量比率の指標が２次元極座標系Ｐにより示されるので、ユーザの意図する総音量および音量比率に対してどこを指示すればよいかが明確になる。
【００７８】
［第３実施形態］
本発明の第１、２実施形態に係る音量操作装置１０は、例えば、デジタル放送受信機に適用することができる。これを第３実施形態とする。第３実施形態では第１、２実施形態からの変更点のみ説明する。
【００７９】
図９は、本発明の第３実施形態に係るデジタル放送受信機３０の構成を示す概略ブロック図である。デジタル放送受信機３０は、第１、２実施形態に係る音量操作装置１０と、受信部３０とを具備している。受信部３０は、放送波またはネットワークにより配信された複数のコンテンツ（コンテンツ１、２）を受信して、音量操作装置１０のコンテンツ再生部２２に出力する。
【００８０】
以上の説明により、本発明は、ユーザに対して、コンテンツ１、２の音声の音量の指標が座標系により示されることにより、ユーザはその指標（第１実施形態における２次元直交座標系Ｓを表す画像、または、第２実施形態における２次元極座標系Ｐを表す画像）を確認しながら指示位置（例えば指１本で指示位置を指示すること）でコンテンツ１、２の音声を調整することができるので、コンテンツ１、２の音声の音量の調整が容易になる。
【００８１】
また、本発明は、ユーザに対して、コンテンツ１、２の音声の総音量の指標、および、コンテンツ１、２の音声の音量比率の指標が、コンテンツ１、２の音声の音量を調整するための座標系（２次元直交座標系Ｓまたは２次元極座標系Ｐ）により示されるので、ユーザの意図する総音量および音量比率に対してどこを指示すればよいかが明確になる。
【００８２】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００８３】
１  …  コンテンツ、
２  …  コンテンツ、
１０  …  音量操作装置、
１１  …  入力部、
１２  …  制御部、
１３  …  表示部、
１４  …  音声出力部、
１５  …  記憶部、
１６  …  タッチパネル、
２１  …  座標検出部、
２２  …  コンテンツ再生部、
２３  …  表示制御部、
２４  …  音声制御部、
３０  …  デジタル放送受信機、
３１  …  受信部、
Ｐ  …  ２次元極座標系、
Ｑ  …  ポインタ、
Ｓ  …  ２次元直交座標系、
Ｔ  …  ２次元直交座標系、
【図１】
2015219855.tif 000003
【図２】
2015219855.tif 000004
【図３】
2015219855.tif 000005
【図４】
2015219855.tif 000006
【図５】
2015219855.tif 000007
【図７】
2015219855.tif 000008
【図８】
2015219855.tif 000009
【図９】
2015219855.tif 000010
【図６】
2015219855.tif 000011